(57)【要約】【課題】折り畳み型携帯端末機を折り畳んだ時に、操作部側の筐体の操作部や内側面に付着した皮脂や汚れが二次的に画像表示面等に付着するのを防止することができる折り畳み型携帯端末機及びそのシート引出装置を提供する。【解決手段】第１筐体４と第２筐体６がヒンジ部８を介して折り畳み自在に連結して構成され、第１筐体４の内側面１０に少なくとも画像表示面１２を配置すると共に、第２筐体６の内側面１８に少なくとも操作部２２を配置した折り畳み型携帯端末機３０であって、先端部３２ａが第１筐体４、第２筐体６、又はヒンジ部８のいずれかに固定されたシート３２と、一端部４０ｂが第１筐４体又は第２筐体６に回動自在に支持されるアーム４０と、アーム４０の他端部４０ａに配置されシート３２を収納可能なシート収納部３８とを備えた。【選択図】　　　図１
2004064417.tif 000002
【特許請求の範囲】
【請求項１】
第１筐体と第２筐体がヒンジ部を介して折り畳み自在に連結して構成され、第１筐体の内側面に少なくとも画像表示面を配置すると共に、第２筐体の内側面に少なくとも操作部を配置した折り畳み型携帯端末機であって、
先端部が前記第１筐体、前記第２筐体、又は前記ヒンジ部のいずれかに固定されたシートと、
一端部が前記第１筐体又は前記第２筐体に回動自在に支持されるアームと、
前記アームの他端部に配置され前記シートを収納可能なシート収納部とを備えたことを特徴とする折り畳み型携帯端末機。
【請求項２】
第１筐体と第２筐体がヒンジ部を介して折り畳み自在に連結して構成され、第１筐体の内側面に少なくとも画像表示面を配置すると共に、第２筐体の内側面に少なくとも操作部を配置した折り畳み型携帯端末機であって、
一端部が前記第１筐体又は前記第２筐体に回動自在に支持されると共に、他端部がシートの先端部を固定するアームと、
前記第１筐体、前記第２筐体、又は、前記ヒンジ部に配置され前記シートを収納するシート収納部とを備えたことを特徴とする折り畳み型携帯端末機。
【請求項３】
前記アームの回動により前記シート収納部に収納されている前記シートを引出し、前記第１筐体又は前記第２筐体の少なくとも一部を覆うことを特徴とする請求項１又は請求項２に記載の折り畳み型携帯端末機。
【請求項４】
前記アームの回動により、前記第１筐体と前記第２筐体を折り畳んだ状態で、前記第１筐体の内側面と前記第２筐体の内側面との間に前記シートを配置することを特徴とする請求項１乃至請求項３のいずれかに記載の折り畳み型携帯端末機。
【請求項５】
前記第１筐体と前記第２筐体の折り畳み動作に伴い前記アームを回動させる回動手段を備えたことを特徴とする請求項１乃至請求項４のいずれかに記載の折り畳み型携帯端末機。
【請求項６】
前記アームの一端部が前記第２筐体に回動自在に支持され、
前記アームの他端部に前記画像表示面に接触してこれを清掃する清掃手段を設けたことを特徴とする請求項１乃至請求項５のいずれかに記載の折り畳み型携帯端末機。
【請求項７】
前記シートをメッシュ繊維とすることを特徴とする請求項１ないし請求項６のいずれかに記載の折り畳み型携帯端末機。
【請求項８】
第１筐体と第２筐体がヒンジ部を介して折り畳み自在に連結して構成され、第１筐体の内側面に少なくとも画像表示面を配置すると共に、第２筐体の内側面に少なくとも操作部を配置した折り畳み型携帯端末機に装着可能なシート引出装置であって、
一端部が前記第１筐体又は前記第２筐体に回動自在に装着可能なアームと、
前記アームの他端部に配置されシートを収納可能なシート収納部とを備えたことを特徴とする折り畳み型携帯端末機用シート引出装置。
【請求項９】
前記シート収納部に収納されている前記シートの先端部を前記第１筐体、前記第２筐体、又は前記ヒンジ部のいずれかに固定可能にしたことを特徴とする請求項８に記載の折り畳み型携帯端末機用シート引出装置。
【発明の詳細な説明】
【０００１】
【発明の属する技術分野】
本発明は、例えば折り畳み型携帯電話機のような折り畳み型の携帯端末機に関し、特に出力情報を表示する画像表示面をシートで覆うような折り畳み型携帯端末機用シート引出装置に関するものである。
【０００２】
【従来の技術】
種々の機能を有する携帯電話機のような携帯端末機は、通話機能以外の多くの機能に関する出力情報を画像表示面に表示するようになっており、このような画像表示面は携帯端末機に必要不可欠な構成要素となっている。
【０００３】
また、携帯端末機はそのコンパクト化を図るために折り畳み構造にした折り畳み型携帯端末機があり、このような折り畳み型携帯端末機は一方の筐体の内側面に画像表示面を設け、他方の筐体の内側面に操作部を設けるようにしているものが多い。
【０００４】
このような従来の携帯端末機の一般的なものとしては、例えば図１１に示すような折り畳み型携帯電話機２がある。この折り畳み型携帯電話機２は、第１筐体４と第２筐体６がヒンジ部８を介して折り畳み自在に連結され、第１筐体４の内側面１０には画像表示面１２、スピーカー１４及び撮像機能用の撮像レンズ１６等が配置され、第２筐体６の内側面１８にはマイク２０及び操作部２２等が配置されている。
【０００５】
ユーザーは折り畳み型携帯電話機２の通話機能以外の種々の機能を使用する場合、画像表示面１２を見ながら操作部２２のボタン等を指で押すことにより操作するので、操作部２２に指の皮脂や汚れが付着し易い。また、操作する方の手とは逆の手で、第２筐体をその外側から手のひらを当接させ、指の腹を内側面１８に掛けるようにして保持するので、操作部２２以外の部分であっても、第２筐体の内側面１０には皮脂や汚れが付着する可能性が多い。
【０００６】
これに対して、通常はユーザーが気を付けて画像表示面１２や撮像レンズ１６には直接指が触れることはあまりないので、指の皮脂や汚れがそれらに直接付着する可能性は比較的少ない。
【０００７】
【発明が解決しようとする課題】
しかしながら、ユーザーが画像表示面１２や撮像レンズ１６に皮脂や汚れが付着しないように気を付けて、それらに指が触れないようにしていたとしても、折り畳んだときに第１筐体４の画像表示面１２や撮像レンズ１６が第２筐体６の操作部２２（画像表示面１２に対向する位置に操作部２２がないときは内側面１８）と接触するため、操作部２２や内側面１８に付着した皮脂や汚れ等が二次的に画像表示面１２や撮像レンズ１６にも付着してしまう。
【０００８】
そのため、折り畳み型携帯電話機２の種々の機能を使用する場合に、画像表示面１２に表示した出力情報や、撮像機能による撮影画像が汚れ等により不鮮明となって、前記出力情報や撮影画像が読み取りにくくなってしまうという問題があった。
【０００９】
折り畳み型携帯電話機２以外の折り畳み型携帯端末機においても同様に、折り畳んだときに操作部側の筐体の操作部や内側面に付着した皮脂や汚れが二次的に画像表示面等に付着することにより、画像表示面に表示した出力情報が読み取りにくくなってしまう等の問題があった。
【００１０】
画像表示面等に付着した皮脂や汚れを除去する手段としては、特開平１１−６９２０６、特開２００１−３２１７３２、特開２００２−６７６２の各公報のように、画像表示面等を清掃する清掃手段を設けたものがあるが、これらはいずれも画像表示面等に直接付着した皮脂や汚れに対処するものであって、二次的に付着するおそれのないことを前提とするものであった。
【００１１】
そこで本発明は、上記問題点に鑑みて、折り畳み型携帯端末機を折り畳んだ時に、操作部側の筐体の操作部や内側面に付着した皮脂や汚れが二次的に画像表示面等に付着するのを防止することができる携帯端末機及びそのシート引出装置を提供することを課題とするものである。
【００１２】
【課題を解決するための手段】
上記課題を解決するために、本発明による折り畳み型携帯端末機は、
第１筐体と第２筐体がヒンジ部を介して折り畳み自在に連結して構成され、第１筐体の内側面に少なくとも画像表示面を配置すると共に、第２筐体の内側面に少なくとも操作部を配置した折り畳み型携帯端末機であって、
先端部が前記第１筐体、前記第２筐体、又は前記ヒンジ部のいずれかに固定されたシートと、
一端部が前記第１筐体又は前記第２筐体に回動自在に支持されるアームと、
前記アームの他端部に配置され前記シートを収納可能なシート収納部とを備えたことを特徴とするものである。
【００１３】
このような折り畳み型携帯端末機によれば、第２筐体の操作部や内側面に付着した皮脂や汚れが第１筐体の画像表示面や撮像レンズに二次的に付着するのを防止することができる。このためユーザーは、携帯端末機の種々の機能を使用する場合には、画像表示面に常に鮮明な出力情報を表示させることができ、また撮像機能を使用する場合には常に鮮明な画像を撮影することができる。
【００１４】
【発明の実施の形態】
以下、本発明の実施の形態について、図面に基づいて具体的に説明する。
図１ないし図１０は、本発明に係る折り畳み型携帯端末機及びそのシート引出装置の各実施の形態について説明するために参照する図である。
【００１５】
各実施の形態においては、折り畳み型携帯端末機の一例として折り畳み型携帯電話機について説明するものとし、従来と同じ部品や要素については同じ符号を付して説明し、その重複する説明は省略するものとする。
【００１６】
図１ないし図３は、本発明に係る折り畳み型携帯端末機及びそのシート引出装置の第１の実施の形態を示したものである。
【００１７】
図１は、第１筐体４を折り畳んだときにその画像表示面１２及び撮像レンズ１６を、第２筐体６の内側面１８に配置されるシート３２で覆うようにすることができる引出し装置２８、及びこの引出し装置２８を備えた折り畳み型携帯電話機３０の開いた状態を示したものである。また、図２は、この折り畳み型携帯電話機３０の閉じた状態を示したものである。
【００１８】
シート３２は、その先端部３２ａが第２筐体６のヒンジ部８の近傍に接着テープ３６により固定されていて、その先端部３２ａに続く部分がシート収納部３８から引出されるようになっている。
【００１９】
シート３２としては、例えば、特開平１０−１２５２６０号公報に開示されているメッシュ織物（メッシュ繊維）を用いることができる。このメッシュ繊維は防眩機能を有する繊維であって、たとえばメッシュ数が１３５〜２７０の織物を使用することができる。そのメッシュ数より大きいと画面が暗くなり、そのメッシュ数より小さいと画面から光が漏れ過ぎて防眩作用が損われるためである。
【００２０】
一方、略円筒形のシート収納部３８の両端部は、２本のアーム４０それぞれの一方の端部４０ａに支持されており、アーム４０の他方の端部４０ｂは第２筐体６の両側の側面にそれぞれ回動自在に取付けられている。このため、シート収納部３８は、アーム４０の端部４０ｂを支点として回動することができるようになっている。
【００２１】
また図３に示すように、シート収納部３８は、その本体部４２（図中、二点鎖線）の内部にシート３２を収納するようになっている。本体部４２の内部において、巻取シャフト４４が軸回り方向に回転することができるように支持されており、この巻取シャフト４４にはシート３２の後端部（図３においては不図示）が固定されていて、シート３２の巻取りを可能にしている。
【００２２】
そして、この巻取シャフト４４の端部４４ａには、渦巻きバネ４６の中心側の端部４６ｂが固定され、渦巻きバネ４６の外周側にある端部４６ａが本体部４２に固定されていることにより、常にシート３２を巻取る方向に巻取シャフト４４を回転させるトルクが与えられるようになっている。
【００２３】
これによって、シート３２には常にたるみが生じない程度の張力が与えられるようになっていると共に、シート収納部３８からシート３２を自在に引出したり巻取ったりすることができるようになっている。
【００２４】
このような折り畳み型携帯電話機用のシート引出装置２８は、以下のようにして使用する。
まずユーザーは折り畳み型携帯電話機３０を使用する前に、図２のようにそれまで折り畳まれている状態にあった折り畳み型携帯電話機３０を開いて、図１の状態にする。
【００２５】
そして、マイク２０側にあるシート収納部３８を、アーム４０を介してヒンジ部８側に回動させることにより、シート３２をシート収納部３８に巻取りながら操作部２２上から除去することができる。
【００２６】
この後の操作は従来の折り畳み型携帯電話機となんら変わるところはなく、操作部２２により操作して通話やデータ通信等の種々の機能を使用することができる。
【００２７】
使用後は、ヒンジ部８側にあるシート収納部３８を、アーム４０を介してマイク２０側に回動させることにより、シート３２をシート収納部３８から引出しながら操作部２２上を覆うようにする。
【００２８】
そして第１筐体４を第２筐体６側に折り畳むことにより、図２のような状態に戻し、画像表示面１２や撮像レンズ１６は、第２筐体６の操作部２２やその内側面１８に直接接触しないように、シート３２により覆われた状態となるようにすることができる。
【００２９】
このような折り畳み型携帯電話機３０及びそのシート引出装置２８によれば、折り畳み型携帯電話機３０を折り畳んだ時に、第２筐体６の操作部２２やその内側面１８に付着した皮脂や汚れが二次的に画像表示面１２や撮像レンズ１６に付着するのを防止することができる。
【００３０】
またこのような折り畳み型携帯電話機３０及びそのシート引出装置２８によれば、シート３２にそのメッシュ数が１３５〜２７０のメッシュ繊維を用いたので、防眩機能、すなわち画像表示面１２の走査線によるちらつきや、画像表示面１２における室内の照明光の反射光による目への負担を軽減することができる。
【００３１】
なお、本実施の形態においては、シート３２の先端部３２ａは、第２筐体６のヒンジ部８の近傍に固定したが、第１筐体４のヒンジ部８の近傍又はヒンジ部８に固定することとしてもよい。
【００３２】
図４は、本発明に係る折り畳み型携帯端末機及びそのシート引出装置の第２の実施の形態を示したものである。
【００３３】
この第２の実施の形態に係る折り畳み型携帯端末機５０及びそのシート引出装置４８は、外観上の構造は図１に示す第１の実施の形態に係るシート引出装置２８及び折り畳み型携帯電話機３０と同様であるが、シート３２の引出し、巻取り動作がその折り畳み型携帯電話機５０の折り畳み動作に同期して自動的になされるようになっている。図４は、特にそのための機構を実線で示し、その他の部分は二点鎖線で示すようにしている。
【００３４】
図４において、ヒンジ部８の内側にはその回動軸と同一軸線上にシャフト５２が設けられている。そしてこのシャフト５２には、ヒンジ部８の第２筐体６側の内部に配置された歯車５４が固定されている。
【００３５】
シャフト５２は、ヒンジ部８において第１筐体４側に固定され、ヒンジ部８の第２筐体６側に対しては回動自在となるように支持されている。したがって、歯車５４は第１筐体４の折り畳み動作に同期して回転するようになっている。
【００３６】
そして、シャフト５２と平行となるようにして、シャフト６０が第２筐体６の内部に回動自在に支持されており、このシャフト６０には歯車５６とプーリー５８が固定されている。歯車５６と歯車５４の間には、第２筐体６に固定されたシャフト６２に回転自在に支持された歯車６４が設けられており、これら３つの歯車５４，５６，６４は、歯車列を形成している。
【００３７】
アーム４０は回動支点である端部４０ｂにおいて、第２筐体６の内部から外部に突出して回動自在であるシャフト６６に固定されており、このシャフト６６には、第２筐体６の内部においてプーリー６８が固定されている。プーリー６８はベルト７０を介してプーリー５８に回転動作の伝達ができるようになっている。
【００３８】
このように折り畳み型携帯電話機５０は、歯車５４，５６，６４及びプーリー５８，６８とベルト７０を用いた機構を内蔵することにより、第１筐体４の折り畳み動作に同期して歯車５４が回転する。そしてこの歯車５４の回転動作は、歯車６４、歯車５６、シャフト６０、プーリー５８、ベルト７０、プーリー６８、シャフト６６を介してアーム４０を、第１筐体４の折り畳み方向と同方向に回動させることができる。
【００３９】
したがって、このような第２の実施の形態によれば、ユーザー自身がシート収納部３８を回動させてシート３２の引出し又は巻取りをする必要はなく、折り畳み型携帯電話機５０の第１筐体４の折り畳み動作を行うだけで、自動的にシート３２が引出し又は巻取り動作を行うことができる。このため、ユーザーが意識しなくとも第２筐体６の操作部２２やその内側面１８に付着した皮脂や汚れが画像表示面１２や撮像レンズ１６に二次的に付着するのを防止することができる。
【００４０】
なお、本実施の形態では第１の実施の形態と同様に、シート３２の先端部３２ａは、第２筐体６のヒンジ部８の近傍に固定したが、第１筐体４のヒンジ部８の近傍、又はヒンジ部８に固定するようにしてもよいことはいうまでもない。
【００４１】
また、本実施の形態においても第１の実施の形態と同様に、シート３２として、特開平１０−１２５２６０号公報に開示されているメッシュ織物（メッシュ繊維）を用いることができる。
【００４２】
図５ないし図７は、本発明に係る折り畳み型携帯端末機及びそのシート引出装置の第３の実施の形態を示したものである。図５に示す折り畳み型携帯電話機７４及びそのシート引出装置７２において、前記第１の実施の形態に係るシート引出装置２８及び携帯電話機３０と同様の部品及び構成、またその作用についての重複する説明は省略する。
【００４３】
図５中の折り畳み型携帯電話機７４において、第１筐体４の画像表示面１２及び撮像レンズ１６は、シート３２で覆われるようになっている。図７に示すように、このシート３２の先端部３２ａは、Ｔ字型の断面形状を有する縁部材７６に、そのＴ字型の中央の縦棒に相当するリブ形状部７６ａの片側面に固定されている。
【００４４】
シート３２はその先端部３２ａに続く部分が、図５に示す引出し口７８の内部の、第１筐体４のヒンジ部８の近傍に内蔵されているシート収納部（図５中不図示）から引出されるようになっている。
【００４５】
シート収納部の内部の構造は図示しないが、第１の実施の形態におけるシート収納部３８と同様に、回動自在に支持されるシャフトと、これに固定される渦巻きバネによって、シート３２には常にたるみが生じない程度の張力が与えられるようになっており、シート収納部からシート３２を自在に引出したり巻取ったりすることができるようになっている。
【００４６】
そしてシート収納部からのシート３２の引出し口７８の周囲は、縁部材７６のＴ字型の断面形状が立った状態でそっくり嵌合する、断面がＴ字型の凹形状部７７が形成されている。
【００４７】
第１筐体４の内側面１０は、その長さ方向に平行である両側の辺が一定の段差８０を形成するようになっており、また、これら両側の辺に挟まれてヒンジ部８と反対側に位置する辺が、図７において示すように、２段階の段差８２を形成するようになっていて、この段差８２には、縁部材７６が、そのＴ字型の断面を寝かせた状態でその下側が当接して支持されるようになっている。
【００４８】
縁部材７６はその両端部を、回動自在な一対のアーム８４それぞれの一方の端部８４ａに支持されている。そして、アーム８４の幅は段差８０の高さと同等になっており、アーム８４それぞれの他方の端部８４ｂが段差８０の側面に回動自在に取付けられている。
【００４９】
また、第２筐体６における内側面１８において、ヒンジ部８と反対側に位置する辺には、折り畳み型携帯電話機７４を折り畳んだときに、第１筐体４の段差８２に当接する縁部材７６の断面におけるＴ字型の横棒に相当する部分のうち、リブ形状部７６ａよりも横に張り出している部分に当接してそれを支持する、凹形状の段差８６が設けられている。
【００５０】
ユーザーは折り畳み型携帯電話機７４を使用した後に折り畳む際には、画像表示面１２等をシート３２で覆うようにすることも、或いは覆わないようにすることもできる。
【００５１】
すなわち、シート３２をシート収納部に全部巻き取った場合には、縁部材７６はＴ字型の凹形状をなす凹形状部７７に嵌合するようになっているので、縁部材７６は内側面１０からその上に突出することがなく、この状態で支障なく折り畳むことができる。
【００５２】
また、シート３２を引出した場合でも、縁部材７６はそのＴ字型の断面が第１筐体４の段差８２と第２筐体６の段差８６によって形成されるＴ字型の凹形状部に収まるようになっているので、この状態でも図６のように支障なく折り畳むことができる。
【００５３】
このようなシート引出装置７２及び折り畳み型携帯電話機７４によれば、第１の実施の形態と同様に、画像表示面１２及び撮像レンズ１６には操作部２２や内側面１８に付着した皮脂や汚れが二次的に付着するのを防止することができる。
【００５４】
図８は、本発明に係る折り畳み型携帯端末機及びそのシート引出装置の第４の実施の形態を示したものである。第４の実施の形態に係るシート引出装置８８及び折り畳み型携帯電話機９０は、外観上の構造は図５に示す第３の実施の形態に係るそれらと全く同一である。ただし、シート３２の引出し、巻取り動作が、第１筐体４の折り畳み動作に同期して自動的に行われるようになっている。
【００５５】
図８において、ヒンジ部８の内側にはその回動軸と同一軸線上にシャフト９２が設けられている。そしてこのシャフト９２には、ヒンジ部８の第１筐体４の内部において、ディスク９４が固定されている。シャフト９２はヒンジ部８において第２筐体６側に固定され、ヒンジ部８の第１筐体４側に対しては回動自在となるように支持されている。したがってディスク９４は、第１筐体４の折り畳み動作に対して、相対的に折り畳み方向と逆方向に回動するようになっている。
【００５６】
アーム８４は、回動支点である端部８４ｂにおいて、第１筐体４の、ヒンジ部８の回動軸と直交する両側の側面の内部から外部に突出する回動自在なシャフト９６に固定されており、このシャフト９６には、第１筐体４の内部においてレバー９８が固定されている。レバー９８とディスク９４はそれぞれ、連結棒１００の両端部１００ａ，１００ｂとピン結合されているので回転動作の伝達ができるようになっている。
【００５７】
折り畳み型携帯電話機９０は、このようなクランク機構を内蔵することにより、第１筐体４の折り畳み動作に同期して、アーム８４を回動させることができる。
【００５８】
したがって、このような第４の実施の形態によれば、ユーザー自身が縁部材７６を回動させてシート３２の引出し又は巻取り動作をする必要はなく、折り畳み型携帯電話機９０の第１筐体４の折り畳み動作や逆の動作を行うだけで、自動的にシート３２の引出し又は巻取り動作を行うことができる。このため、ユーザーが意識しなくとも第２筐体６の操作部２２や内側面１８に付着した皮脂や汚れが画像表示面１２や撮像レンズ１６に二次的に付着するのを防止することができる。
【００５９】
図９及び図１０は、本発明に係る折り畳み型携帯端末機及びそのシート引出装置の第５の実施の形態を示したものである。本実施の形態に係るシート引出装置１０８及び折り畳み型携帯電話機１１０は、シート３２の引出し、巻取り動作が、折り畳み型携帯電話機１１０の折り畳み動作に同期して自動的に行なわれるようになっている。
【００６０】
図９に示すように、本実施の形態に係るシート引出装置１０８のシート収納部１１２は、その内部にシート３２を収納する略円筒形の本体部１１４と、本体部１１４をその両端部において支持し、第１筐体４に係止するための係止部１１６からなる。
【００６１】
本体部１１４の断面における円周上には、シート引出し口１１４ａを除いて、布材又はスポンジ材等の清掃部材１１８が巻付けられて接着されている。シート３２は、その先端部３２ａが第１筐体４の内側面１０においてヒンジ部８の近傍に固定されており、シート３２の先端部３２ａに続く部分がシート収納部１１２から引出されるようになっている。
【００６２】
係止部１１６は、第１筐体４の両側の側面部にその長さ方向に形成される溝部１２０に引掛けられて、移動することができるようになっている。また、係止部１１６は、アーム１２２の一方の端部１２２ａにピン結合されている。そして、このアーム１２２はその他方の端部１２２ｂにおいて、第２筐体６の両側の側面にそれぞれ回動自在に取付けられている。
【００６３】
また、第２筐体６には、第１筐体４を折り畳んだときに、シート収納部１１２及び清掃部材１１８が干渉することのないように、凹部１２４が形成されている。図１０に示すように、折り畳み型携帯電話機１１０を閉じた場合には、この凹部１２４にシート収納部１１２及び清掃部材１１８がコンパクトに収まるようになる。
【００６４】
このように、溝部１２０と係止部１１６を用いた機構により、第１筐体４の折り畳み動作に同期してアーム１２２を回動させ、シート収納部１１２を第１筐体４の内側面１０に沿ってヒンジ部８から遠ざかるよう移動させることができるので、シート３２を引き出す（又は巻き取る）動作と共に、画像表示面１２を又は撮像レンズをも清掃部材１１８により清掃することができる。
【００６５】
したがって、本実施の形態によれば、ユーザー自身がシート収納部１１２を回動させてシート３２の引出し又は巻取りをする必要はなく、折り畳み型携帯電話機１１０を使用するために第１筐体４の折り畳み動作、又は逆の動作を行うだけで、自動的にシート３２が引出し又は巻取り動作を行うことができる。このため、ユーザーが意識しなくとも操作部２２や内側面１８に付着した皮脂や汚れが、画像表示面１２や撮像レンズ１６に二次的に付着するのを防止することができる。
【００６６】
さらに、画像表示面１２が仮に汚れたとしても、ユーザーが折り畳み動作、又は逆の動作を行うごとに、清掃部材１１８が画像表示面１２や撮像レンズ１６を清掃するので、常に画像表示面１２や撮像レンズ１６を清浄にして画像表示面１２を鮮明な見易い状態に維持することができる。
【００６７】
なお、本実施の形態においては、シート３２の先端部３２ａは、第１筐体４のヒンジ部８の近傍に固定したが、第２筐体６のヒンジ部８の近傍、又はヒンジ部８に固定するようにしてもよいことはいうまでもない。
【００６８】
なお、上記第１ないし第５の実施の形態におけるシート引出装置２８，４８，７２，８８，１０８、及び折り畳み型携帯電話機３０，５０，７４，９０，１１０は、それぞれの実施の形態における形状や構造に限るものではなく、例えばシート収納部３８，１１２又は縁部材７６を支持するアーム４０，８４，１２２を１本である構造にしてもよい。また、シート収納部３８，１１２や縁部材７６、或はアーム４８，８４，１２２が取外しできるようになっていてもよい。
【００６９】
また、シート３２の模様や色彩は特定のものに制限されず、ユーザーの好みによって選択できるようにしてもよく、透明であってもよい。またユーザー自身がシート３２を着色することができるようになっていてもよい。
【００７０】
また、本発明は携帯電話機以外の携帯端末機に使用してもよく、さらに、上下方向に折り畳む携帯端末機に限らず、左右方向に折り畳む携帯端末機にも使用することができることはいうまでもない。
【００７１】
【発明の効果】
以上説明したように、本発明の携帯端末機及びそのシート引出装置によれば、ユーザーは携帯端末機の種々の機能を使用する場合には、鮮明な画像表示面に常に見やすい状態で出力情報を表示させることができる。また、撮像機能用の撮像レンズを汚さないので、鮮明な撮影画像を得ることができる。
【００７２】
また、仮に画像表示面や撮像レンズに皮脂や汚れが付着しても、清掃部材により、容易に清掃することができるようにすることができる。
【００７３】
また、本発明のシート引出装置は携帯端末機に着脱可能とすることができるので、必要に応じてシート等を交換したり清掃したりすることもできる。
【００７４】
また、シートにそのメッシュ数が１３５〜２７０のメッシュ繊維を用いることもできるので、防眩機能、すなわち画像表示面の走査線によるちらつきや、画像表示面における室内の照明光の反射光による目への負担を軽減することができる。
【図面の簡単な説明】
【図１】本発明の第１の実施の形態に係る折畳み型携帯電話機３０及びそのシート引出
装置２８を示す斜視図である。
【図２】図１における折畳み型携帯電話機３０を折り畳んで閉じた状態を示す斜視図で
ある。
【図３】図１におけるシート引出装置２８のシート収納部３８の内部を示す拡大透視斜
視図である。
【図４】本発明の第２の実施の形態に係る折り畳み型携帯電話機５０及びそのシート引
出装置４８の要部の構成を示す概略側面図である。
【図５】本発明の第３の実施の形態に係る折り畳み型携帯電話機７４及びそのシート引
出装置７２を示す斜視図である。
【図６】図５における折り畳み型携帯電話機７４を畳んで閉じた状態を示す斜視図であ
る。
【図７】図５における第１筐体４の段差８２に寝かされた状態でその下部が当接した縁
部材７６の拡大側面図である。
【図８】本発明の第４の実施の形態に係る折り畳み型携帯電話機９０及びそのシート引
出装置８８の要部の構成を示す概略側面図である。
【図９】本発明の第５の実施の形態に係る折り畳み型携帯電話機１１０及びそのシート引出装置１０８を示す斜視図である。
【図１０】図９における折り畳み型携帯電話機１１０を畳んで閉じた状態を示す斜視図である。
【図１１】従来の折り畳み型携帯電話機２を示す斜視図である。
【符号の説明】
２　折り畳み型携帯電話機
４　第１筐体
６　第２筐体
８　ヒンジ部
１０　内側面
１２　画像表示面
１４　スピーカー
１６　撮像レンズ
１８　内側面
２０　マイク
２２　操作部
２８　シート引出装置
３０　折り畳み型携帯電話機
３２　シート
３２ａ　先端部
３６　接着テープ
３８　シート収納部
４０　アーム
４０ａ，４０ｂ　端部
４２　本体部
４４　巻取シャフト
４４ａ　端部
４６　渦巻きバネ
４６ａ，４６ｂ　端部
４８　シート引出装置
５０　折り畳み型携帯電話機
５２　シャフト
５４，５６　歯車
５８　プーリー
６０，６２　シャフト
６４　歯車
６６　シャフト
６８　プーリー
７０　ベルト
７２　シート引出装置
７４　折り畳み型携帯電話機
７６　縁部材
７６ａ　リブ形状部
７７　凹形状部
７８　シート引出し口
８０，８２　段差
８４　アーム
８４ａ，８４ｂ　端部
８６　段差
８８　シート引出装置
９０　折り畳み型携帯電話機
９２　シャフト
９４　ディスク
９６　シャフト
９８　レバー
１００　連結棒
１００ａ，１００ｂ　端部
１０８　シート引出装置
１１０　折り畳み型携帯電話機
１１２　シート収納部
１１４　本体部
１１４ａ　引出し口
１１６　係止部
１１８　清掃部材
１２０　溝部
１２２　アーム
１２２ａ，１２２ｂ　端部
１２４　凹部
【図１】
2004064417.tif 000003
【図２】
2004064417.tif 000004
【図３】
2004064417.tif 000005
【図４】
2004064417.tif 000006
【図５】
2004064417.tif 000007
【図６】
2004064417.tif 000008
【図７】
2004064417.tif 000009
【図８】
2004064417.tif 000010
【図９】
2004064417.tif 000011
【図１０】
2004064417.tif 000012
【図１１】
2004064417.tif 000013